(57)【要約】【課題】逆止弁の機能が阻害された状態で、断水等が発生した場合でも、水が逆流する恐れがない機器への注湯装置を提供することを目的とする。【解決手段】逆流防止装置１３は、圧力差により開閉させる大気開放弁２７を有し、この大気開放弁２７における、注水弁近傍の水圧を受ける受圧部２５の面積を、逆流防止装置内の水圧を受ける受圧部２９の面積よりも大きくし、かつ前記大気開放弁を手動で開放可能としたものであり、逆止弁の機能が阻害された状態で、断水等が発生した場合でも、大気開放弁２７を開くことにより、逆流を防止でき、大気開放弁２７の受圧面積を配慮したことにより、水漏れは発生せず、さらに、大気開放弁は手動で開放させることにより、その固着を防止できる。【選択図】　図２
2004044839.tif 000002
【特許請求の範囲】
【請求項１】
給湯回路からの湯を供給する注湯弁と、水道水を供給する注水弁と、浴槽の残り湯を機器もしくは浴槽へ供給するため流路を切り換える流路切り換え弁と、前記注湯弁と注水弁の少なくとも一方の下流側で、かつ前記残り湯が混合する部分の上流側に配置された逆流防止装置とを備え、前記逆流防止装置は、前記注水弁近傍あるいは注湯弁近傍の水圧と逆流防止装置内を通過する水の水圧との圧力差により開閉する大気開放弁を有し、この大気開放弁における、注水弁近傍あるいは注湯弁近傍の水圧を受ける受圧部の面積を、逆流防止装置内を通過する水の水圧を受ける受圧部の面積よりも大きくし、かつ前記大気開放弁を手動で開放可能とした機器への注湯装置。
【請求項２】
注水弁近傍あるいは注湯弁近傍の水圧の受圧部をダイアフラムとし、逆流防止装置内を通過する水の圧力の受圧部を大気開放弁とし、ダイアフラムおよび大気開放弁は一体的に連結した請求項１に記載の機器への注湯装置。
【請求項３】
逆流防止装置は、注水弁の下流側直後に配置した請求項１または２に記載の機器への注湯装置。
【発明の詳細な説明】
【０００１】
【発明の属する技術分野】
本発明は、水、給湯機からの湯、浴槽の残り湯等を洗濯機、洗浄装置、空調装置等へ供給する機器への注湯装置に関するものである。
【０００２】
【従来の技術】
従来、この種の洗濯注湯装置は、図６に示す通り、給湯および浴槽水の循環加熱ができる給湯機１２の外部、または、内部に接続され、洗濯機等の機器８へ水を供給する注水弁１と、機器８へ湯を供給する注湯弁２と、浴槽９の残り湯１０を機器８もしくは浴槽９へ供給するため流路を切り換える流路切り換え弁４と、機器８への通水の有無を検出する通水検出手段５と、機器８への給水モードを選択するリモコン３と、注水弁１、注湯弁２、流路切り換え弁４、通水検出手段５、接続される給湯機１２をリモコン３で選択されたモードによってそれぞれ動作させる制御装置７から構成される。１１は循環ポンプである。
【０００３】
そして、例えば洗濯を行う場合、機器８の洗いとすすぎを自動判別し、洗いの際はリモコン３で選択されたモードに従って、水、湯、残り湯１０のいずれかを機器８へ供給し、すすぎの際は水を供給するようになっている。
【０００４】
【発明が解決しようとする課題】
従来の注湯装置においては、断水などで水道水の供給側が負圧等になって、風呂等の汚れた水が水道管に逆流するのを防ぐために、図６に示すように、逆止弁６（安全のために２連の構成になっている）が取り付けられている。しかしながら、この逆止弁６にゴミ等が詰ることがあると、逆止弁６の働きが阻害されて、水が逆流する恐れがあるという課題を有していた。これを解決するために、逆止弁６とは別に逆流防止装置を設けて逆流を防止することも考えられるが、機器の入口で注湯が閉止されたような場合には、逆流防止装置の弁へ作用する圧力が高まり水漏れが生ずる恐れがある。また、この逆流防止装置の弁を長期間、閉弁状態で保持すると、その状態で固着してしまい、必要なときに開弁しなくなるということも生ずる恐れもある。
【０００５】
本発明は、前記従来の課題を解決するもので、逆止弁の機能が阻害された状態で、断水等が発生した場合でも、汚れた水が水道管に逆流することをなくすとともに、水漏れや弁が動作しないということのない機器への注湯装置を提供することを目的とするものである。
【０００６】
【発明を解決するための手段】
前記目的を達成するために、本発明の機器への注湯装置は、逆流防止装置は、注水弁近傍あるいは注湯弁近傍の水圧と逆流防止装置内を通過する水の水圧との圧力差により開閉する大気開放弁を有し、この大気開放弁における、注水弁近傍あるいは注湯弁近傍の水圧を受ける受圧部の面積を、逆流防止装置内を通過する水の水圧を受ける受圧部の面積よりも大きくし、かつ前記大気開放弁を手動で開放可能としたものである。
【０００７】
これにより、逆止弁の機能が阻害された状態で、断水等が発生した場合でも、注水弁近傍の水圧と逆流防止装置内を通過する水の水圧との圧力差により大気開放弁を開くことにより、逆流を防止できるものであり、大気開放弁はその受圧面積の大きさを配慮したことにより水漏れがなく、しかも必要時には手動操作によりその固着をなくすことができるものである。
【０００８】
【発明の実施の形態】
請求項１に記載の発明は、給湯回路からの湯を供給する注湯弁と、水道水を供給する注水弁と、浴槽の残り湯を機器もしくは浴槽へ供給するため流路を切り換える流路切り換え弁と、前記注湯弁と注水弁の少なくとも一方の下流側で、かつ前記残り湯が混合する部分の上流側に配置された逆流防止装置とを備え、前記逆流防止装置は、前記注水弁近傍あるいは注湯弁近傍の水圧と逆流防止装置内を通過する水の水圧との圧力差により開閉する大気開放弁を有し、この大気開放弁における、注水弁近傍あるいは注湯弁近傍の水圧を受ける受圧部の面積を、逆流防止装置内を通過する水の水圧を受ける受圧部の面積よりも大きくし、かつ前記大気開放弁を手動で開放可能とした機器への注湯装置とするとにより、逆止弁の機能が阻害された状態で、断水等が発生した場合でも、注水弁近傍の水圧と逆流防止装置内を通過する水の水圧との圧力差により大気開放弁を開き、逆流を防止できるものであり、大気開放弁はその受圧面積の大きさを配慮したことにより水漏れがなく、しかも必要時には手動操作によりその固着をなくすことができるものである。
【０００９】
請求項２に記載の発明は、注水弁近傍あるいは注湯弁近傍の水圧の受圧部をダイアフラムとし、逆流防止装置内を通過する水の圧力の受圧部を大気開放弁とし、ダイアフラムおよび大気開放弁は一体的に連結した請求項１に記載の機器への注湯装置とすることにより、よりシンプルな構成で所期の効果が得られるものである。
【００１０】
請求項３に記載の発明は、逆流防止装置は、注水弁の下流側直後に配置した請求項１または２に記載の機器への注湯装置とすることにより、注水弁と逆流防止装置を一体化することが可能で、より簡単な構成にすることができる。
【００１１】
【実施例】
以下、本発明の実施例について、図面を参照して説明する。
【００１２】
（実施例１）
図１〜図４は、本発明の実施例１における機器への注湯装置を示す。全体構成については、図６で示した装置と同様であるので、同一部分に同一符号を付して説明を省略する。
【００１３】
図１において、１３は注湯弁２と注水弁１の少なくとも一方の下流側で、かつ前記残り湯が混合する部分１５の上流側に配置された逆流防止装置であり、この実施例では、注湯弁２からの湯と注水弁１からの水道水とを混合する部分１４の下流側で、かつ前記残り湯が混合する部分１５の上流側に配置されている。１６は圧力導入管で、注水弁１の近傍１７の圧力を検知するように接続されているが、注湯弁２の近傍の圧力を検知するようにしても同じである。１８はト゛レン管で、後述する大気開放弁より排出される水を装置外に導くものである。１９はドレン管１８がケースを貫通する部分、２０はドレン受けである。
【００１４】
図２は逆流防止装置１３の詳細を示す。
【００１５】
図において、２１は水または湯の入口、２２は出口である。２３は圧力導入管１６に接続されて注水弁１の近傍１７の圧力を導入する１次圧入口である。２４はダイアフラムで、注水弁１の近傍１７の水圧を受ける受圧部２５を有している。２６は逆流防止装置１３内を通過する圧力の受圧空間である。２７は大気開放弁であり、ゴム等の弁体２８を有し、逆流防止装置１３内を通過する水圧を受ける受圧部２９を有している。３０は大気開放弁２７を開放する方向に付勢するばねである。このばね３０の力は、水が無い場合のように他に力が殆どかからない場合にのみ大気開放弁２７を開く程度の小さな力に設定している。３１は大気との連通口である。大気開放弁２７は、逆流防止装置１３内を通過する水圧を受ける受圧部２９と、ダイアフラム２４における注水弁１の近傍１７の水圧を受ける受圧部２５との圧力差による力で開閉する構成であり、かつ受圧部２５の受圧面積が受圧部２９の受圧面積よりも大きくなるように設定されている。また大気開放弁２７とダイアフラム２４は軸３２にて一体的に連結されている。３３は大気開放弁２７から装置外へ貫通させた軸で、軸３２と一体としてもよい。３４は軸３３の先端に取り付けた、大気開放弁２７を手動で押して開放させるボタンで、装置外に突出して位置している。３５は軸３３が貫通する貫通穴からの水漏れを防止するためのＯリングである。
【００１６】
以上のように構成された機器への注湯装置について、以下その動作、作用を説明する。
【００１７】
図２において、断水等の無い通常の動作について説明する。入口２１より入った水または湯の圧力は、大気開放弁２７の受圧部２９にかかる。一方、ダイアフラム２４の、注水弁１の近傍１７の水圧を受ける受圧部２５には、注水弁１の近傍１７の圧力がかかる。この結果、受圧部２５の受圧面積が受圧部２９の受圧面積よりも大きくなるように設定されているため、大気開放弁２７は閉止の方向に押される。また、機器８の入口で注湯が閉止されたような場合、すなわち、出口２２の下流側で閉止した場合でも、ダイアフラム２４の面積が大きいため、全体の合力は大気開放弁２７を閉じる方向に働き、大気開放弁２７は閉止され水漏れが発生することがない。一方、断水等で注水弁１の近傍１７の圧力が大気圧あるいはそれ以下になった場合は、図３に示すように、大気開放弁２７が開く方向に力が作用する。この結果として、大気開放弁２７が開き、逆流防止装置１３内の水は連通口３１を通して装置外に放出され、圧力は開放される。したがって、逆流が生じることがなくなる。
【００１８】
そして、手動で大気開放弁２７を開放する場合は、図４に示すように、大気開放弁２７と連結されている軸３３の先端にあるボタン３４を指で押すことにより、大気開放弁２７を強制的に開放することができ、大気開放弁２７の固着をなくすことができる。指を離すと、大気開放弁２７は受圧部２５にかかる水圧と受圧部２９にかかる水圧の合力で閉じる方向に動き、通常の閉止の状態に戻る。
【００１９】
（実施例２）
図５は、本発明の実施例２における機器への注湯装置を示す。
【００２０】
実施例１との違いは、逆流防止装置１３を注水弁１の下流側直後３６の位置に配置したことである。これは、風呂給湯機１２に逆流防止装置がすでに取り付けられている場合である。
【００２１】
これによって、注水弁と逆流防止装置１３とを一体化することが可能になり、簡単な構成にすることができる。
【００２２】
【発明の効果】
以上のように、本発明の機器への注湯装置によれば、逆止弁の機能が阻害された状態で、断水等が発生した場合でも、逆流防止装置の存在により逆流を防止できる。そして、機器の入口で注湯を閉止された場合でも、大気開放弁の受圧面積を配慮したことにより、大気開放弁は閉止され水漏れは発生しない。また、大気開放弁は手動で開放して動作させることにより、大気開放弁の固着を防止することができるものである。
【図面の簡単な説明】
【図１】本発明の実施例１における機器への注湯装置の全体構成図
【図２】同注湯装置における逆流防止装置の通常使用状態を示す断面図
【図３】同逆流防止装置の断水時の状態を示す断面図
【図４】同逆流防止装置の手動操作状態を示す断面図
【図５】本発明の実施例２における機器への注湯装置の全体構成図
【図６】従来の機器への注湯装置を示す全体構成図
【符号の説明】
１　注水弁
２　注湯弁
４　流路切り換え弁
１３　逆流防止装置
２４　ダイアフラム
２５、２９　受圧部
２７　大気開放弁
３２、３３　軸
３４　ボタン
【図１】
2004044839.tif 000003
【図２】
2004044839.tif 000004
【図３】
2004044839.tif 000005
【図４】
2004044839.tif 000006
【図５】
2004044839.tif 000007
【図６】
2004044839.tif 000008